(57)【要約】【課題】  収納棚単独で取付ける場合、鏡を隣接して取付ける場合を選択可能である。【解決手段】  左右のフランジ部２の固着具挿通孔１０の表面側の部分を大径部として鏡４の側端部が重ねられる場合に左右のフランジ部２を固着具挿通孔１０を挿通して壁パネル７に固着するための固着具５の頭部５ａを収めることができる大きさの凹部６を形成する。収納棚１を壁パネル７の開口部１２に嵌め込んでフランジ部２を壁パネル７の表面の開口部１２の周囲の部位に当接する。上下、左右のフランジ部２の表面に縁カバー取付け用下地材３を重ねて縁カバー取付け用下地材３の表面側から打ち込んだ固着具５を上記固着具挿通孔１０に挿通して壁パネル７に固着し、左右のフランジ部２部分においては、縁カバー取付け用下地材３により凹部６を覆い、上下、左右の各縁カバー取付け用下地材３にそれぞれ縁カバー８を係止手段９により取付ける。【選択図】        図１
2010104441.tif 000002
【特許請求の範囲】
【請求項１】
前面側が開口した収納棚の外周部に上下、左右のフランジ部を設け、各フランジ部にそれぞれ固着具挿通孔を形成し、上下のフランジ部の表面には縁カバー取付け用下地材が重ねられると共に、左右のフランジ部の表面側には上記縁カバー取付け用下地材又は収納棚に隣接して配設される鏡の側端部が選択して重ねられるものであって、左右のフランジ部の固着具挿通孔の表面側の部分を大径部として鏡の側端部が重ねられる場合に左右のフランジ部を固着具挿通孔を挿通して壁パネルに固着するための固着具の頭部を収めることができる大きさの凹部を形成し、上記構成の収納棚を壁パネルの開口部に嵌め込んでフランジ部を壁パネルの表面の開口部の周囲の部位に当接し、上下、左右のフランジ部の表面に縁カバー取付け用下地材を重ねて縁カバー取付け用下地材の表面側から打ち込んだ固着具を上記固着具挿通孔に挿通して壁パネルに固着し、左右のフランジ部部分においては、縁カバー取付け用下地材により凹部を覆い、上下、左右の各縁カバー取付け用下地材にそれぞれ縁カバーを係止手段により取付けて成ることを特徴とする収納棚の取付け構造。
【請求項２】
収納棚を左右方向に並設して隣接する収納棚の左右のフランジ部の側端同士を突き合わせ、該突き合わされた左右のフランジ部の各表面に各凹部を覆うようにそれぞれ縁カバー取付け用下地材を重ねて各縁カバー取付け用下地材の表面側から打ち込んだ固着具を上記固着具挿通孔に挿通して壁パネルに固着し、隣接する左右の縁カバー取付け用下地材に隣接する左右のフランジ部に跨って覆う単一の縁カバーを係止手段により取付けて成ることを特徴とする請求項１記載の収納棚の取付け構造。
【発明の詳細な説明】
【技術分野】
【０００１】
本発明は、収納棚の取付け構造に関するものである。
【背景技術】
【０００２】
従来から、収納棚同士を壁パネルに並設して取付けたり、あるいは、収納棚の隣に鏡を並設することが特許文献１により知られている。
【０００３】
ところが、上記従来例にあっては、収納棚の上部に嵌め込み突部を突設すると共に下部に嵌め込み凹部を形成し、壁パネルに固定部材を固着具で固定し、収納棚の下部の嵌め込み凹部を上記固定部材に嵌め込むことで収納棚の下部を壁パネルに固定し、更に、収納棚の上部の嵌め込み突部を壁パネルに固着具で固定することで、収納棚の上部を壁パネルに固定し、嵌め込み突部に縁カバーを被せるようになっている。
【０００４】
そして、上下方向に壁パネルを並設する場合は、上記のようにして下段の収納棚を壁パネルに取付け（この場合は、縁カバーを被せない）、次に、該下段の収納棚の上部の嵌め込み突部に上段の収納棚の下部の嵌め込み凹部をはめ込むと共に、上段の収納棚の上部の嵌め込み突部を固着具により壁パネルに固着し、上段の収納棚の嵌め込み突部に縁カバーを被せるようになっている。
【０００５】
また、この特許文献１にあっては、収納棚の左右方向に鏡を隣接して配設するようになっているが、収納棚の側端面と鏡の側端面とを当接するように並設している。
【０００６】
上記の従来例にあっては、縁カバーにより固着具による固着部分を隠しているが、収納棚は上部と下部しか固着されず、左右両側は固着具により固着されない。したがって、固着強度が弱いという問題がある。しかも、縁カバーは収納棚を一つ単独で取付ける場合は、当該収納棚の上部にのみ存在し、上下に複数収納棚を並設する場合は、最上段の収納棚の上部にのみ存在し、収納棚の表面側の周囲に設けられないので、見た目が悪いという問題がある。
【０００７】
しかも、収納棚の隣に隣接して鏡を配設する場合、収納棚の側端面と鏡の側端面とを当接するように並設するので、正面から見た場合、収納棚の側端面と鏡の側端面との間に僅かな隙間が生じ、両者の一体感がなく、両者が別々のものとして外観され、鏡付きの収納棚という外観にならないという問題がある。
【特許文献１】特開２００５−３４８９５４号公報
【発明の開示】
【発明が解決しようとする課題】
【０００８】
本発明は上記の従来の問題点に鑑みて発明したものであって、簡単な構成で収納棚を単独で取付ける場合、収納棚に隣接して鏡を取付ける場合のいずれかを選択することが可能で、しかも、いずれを選択した場合も、収納棚の表面の周囲の収まりを良くすることができ、更に、収納棚と鏡を隣接する場合は、両者の一体感が得られ、また、収納棚を一つ単独で取付ける場合、収納棚を左右方向に並設する場合のいずれの場合も、簡単な構成で収納棚の表面の周囲の収まりを良くすることができる収納棚の取付け構造を提供することを課題とするものである。
【課題を解決するための手段】
【０００９】
本発明における収納棚１は、前面開口の外周部に上下、左右のフランジ部２を設け、各フランジ部２にそれぞれ固着具挿通孔１０を形成したものである。上下のフランジ部２の表面には縁カバー取付け用下地材３が重ねられると共に、左右のフランジ部２の表面側には上記縁カバー取付け用下地材３又は収納棚１に隣接して配設される鏡４の側端部が選択して重ねることが可能なように構成してある。本発明の特徴は、左右のフランジ部２の固着具挿通孔１０の表面側の部分を大径部として鏡４の側端部が重ねられる場合に左右のフランジ部２を固着具挿通孔１０を挿通して壁パネル７に固着するための固着具５の頭部５ａを収めることができる大きさの凹部６を形成し、上記構成の収納棚１を壁パネル７の開口部１２に嵌め込んでフランジ部２を壁パネル７の表面の開口部１２の周囲の部位に当接し、上下、左右のフランジ部２の表面に縁カバー取付け用下地材３を重ねて縁カバー取付け用下地材３の表面側から打ち込んだ固着具５を上記固着具挿通孔１０に挿通して壁パネル７に固着し、左右のフランジ部２部分においては、縁カバー取付け用下地材３により凹部６を覆い、上下、左右の各縁カバー取付け用下地材３にそれぞれ縁カバー８を係止手段９により取付けることにある。
【００１０】
このような構成とすることで、収納棚１の外周部に設けた上下、左右のフランジ部２に形成した固着具挿通孔１０を用いて、収納棚１の上下、左右を壁パネル７に固着具５で固着できて収納棚１の取付けが強固となる。また、上下のフランジ部２においては、固着具５が縁カバー取付け用下地材３とともに縁カバー８により隠される。左右のフランジ部２においては、縁カバー取付け用下地材３を介して縁カバー８を取付ける場合は、固着具５が縁カバー取付け用下地材３とともに縁カバー８により隠され、左右のフランジ部２の表面に鏡４の端部を重ねる場合は、固着具５が鏡４の端部により隠される。また、収納棚１の上下が縁カバー８で覆われ、左右のフランジ部２は縁カバー８又は隣接する鏡４の端部で覆うことが可能となるので、収納棚１の表面の周囲の収まりを良くすることができる。
【００１１】
また、収納棚１を左右方向に並設して隣接する収納棚１の左右のフランジ部２の側端同士を突き合わせ、該突き合わされた左右のフランジ部２の各表面に各凹部６を覆うようにそれぞれ縁カバー取付け用下地材３を重ねて各縁カバー取付け用下地材３の表面側から打ち込んだ固着具５を上記固着具挿通孔１０に挿通して壁パネル７に固着し、隣接する左右の縁カバー取付け用下地材３に隣接する左右のフランジ部２に跨って覆う単一の縁カバー８を係止手段９により取付けることが好ましい。
【００１２】
このような構成とすることで、収納棚１を左右方向に並設する場合、隣接する収納棚１の左右のフランジ部２が単一の縁カバー８により覆われて両収納棚１が一体物であるような外観とすることができる。
【発明の効果】
【００１３】
本発明は、上記のように構成したので、左右のフランジ部を固着具で固着するに当たり、左右のフランジ部の表面に縁カバー取付け用下地を重ねて固着具により固着するか、あるいは、左右のフランジ部を直接固着具により固着して頭部を固着具挿通孔の表面側の凹部に収納するかを選択するだけで、収納棚を単独で取付ける場合、収納棚に隣接して鏡を取付ける場合のいずれにも対応することができ、収納棚の共通化が可能となる。また、いずれを選択しても、収納棚の表面の周囲を縁カバー、又は縁カバーと鏡の側端部で覆うことになって収まりを良くすることができる。また、収納棚と鏡を並設する場合は、縁カバーに代えて鏡の側端部でフランジ部の表面を覆うことになって収納棚と並設する鏡との一体化感が向上する。
【００１４】
また、収納棚を左右方向に並設する場合、隣接する収納棚の左右のフランジ部が単一の縁カバーにより覆われることで、両収納棚が一体物であるような外観とすることができる。
【発明を実施するための最良の形態】
【００１５】
以下、本発明を添付図面に示す実施形態に基いて説明する。
【００１６】
図１には本発明に用いる収納棚１が示してある。収納棚１は、前面側が開口した箱形状をしていて内部が収納部１１となっており、前面開口の外周部に上下、左右のフランジ部２を設け、各フランジ部２にそれぞれ固着具挿通孔１０を形成したものである。
【００１７】
上下のフランジ部２に設けた固着具挿通孔１０は、前後に貫通した孔の前後方向の各部における孔径が同じとなっている。左右のフランジ部２に設けた固着具挿通孔１０は、固着具挿通孔１０の表面側の部分を大径部として固着具５の頭部５ａを収めることができる大きさの凹部６が形成してある。
【００１８】
上記収納棚１は、例えば浴室の壁パネル７に単独で取付けたり、左右方向に複数並設して取付けたり、収納棚１と鏡４と並設して取付けることが可能で、しかも、いずれの場合も収納棚１の前面開口の外周部における壁パネル７への固着部分を隠して外周部の収まりを良くすることができるようになっている。
【００１９】
図１乃至図４には壁パネル７に収納棚１を単独で取付ける場合の例が示してある。壁パネル７に開口部１２を設け、該開口部１２に収納棚１を嵌め込み、前面開口の外周部の上下、左右のフランジ部２を壁パネル７の開口部１２の周囲の表面に当接する。この状態で、上下、左右のフランジ部２の表面にそれぞれ細長い縁カバー取付け用下地材３を当接し、この細長い縁カバー取付け用下地材３に設けた孔からビスのような固着具５を挿入してフランジ部２に設けた固着具挿通孔１０を通して壁パネル７に固着する。
【００２０】
縁カバー取付け用下地材３は、細長い板状部３ａの表面に突片３ｂを突設したもので、上記のように固着具５で固着した際、固着具５の頭部５ａが図３、図４に示すように突片３ｂ間に形成される凹所３ｃ内に収納されるように構成してある。
【００２１】
上記のように各フランジ部２の表面側に縁カバー取付け用下地材３を重ねた状態で縁カバー取付け用下地材３と共に収納棚１の外周部の上下、左右を壁パネル７に固着し、その後、表面側に縁カバー取付け用下地材３を重ねた上下、左右の各フランジ部２の表面側を覆うように、上下、左右の各縁カバー８を上下、左右の縁カバー取付け用下地材３に係止手段９により係止する。
【００２２】
ここで、添付図面に示す実施形態においては、縁カバー取付け用下地材３の突片３ｂに係止部９ａを設け、縁カバー８の背面側に被係止部９ｂを設け、被係止部９ｂを係止部９ａに係止することで縁カバー８を取付けるようになっており、したがって、この実施形態においては、上記係止部９ａと被係止部９ｂとで係止手段９を構成している。
【００２３】
上記のように、収納棚１を壁パネル７に単独で取付けた場合、収納棚１の上下、左右の各フランジ部２部分が固着具５により壁パネル７に固着されて、強固に取付けられることになる。また、固着具５の固着部分、つまり、固着具５の頭部５ａが縁カバー取付け用下地材３と共に縁カバー８で隠され、しかも、前開口の上下、左右の４辺に沿って縁カバー８で化粧されるので、収納棚１の前開口の外周部の収まりがよくなる。
【００２４】
図５乃至図７には壁パネル７に収納棚１を左右方向に並設して取付ける例が示してある。本例においても、壁パネル７に開口部１２を設け、該開口部１２に収納棚１を嵌め込んで、複数並設する。ここで、壁パネル７には開口部１２を仕切り部７ａを介して左右方向に隣接して複数形成して、左右に隣接する収納棚１をそれぞれ左右に隣接する開口部１２に嵌め込むようになっている。
【００２５】
そして、各収納棚１の上下、左右の各フランジ部２を壁パネル７の表面の各開口部１２の周囲の部分に当接して、前述と同様にして、各収納棚１毎に、上下、左右の各フランジ部２の表面に上下、左右の縁カバー取付け用下地材３を重ね、前述と同様にして固着具５により壁パネル７に固着する。
【００２６】
ここで、収納棚１のフランジ部２が隣接する部分以外の各収納棚１のフランジ部２の表面側には、それぞれ、前述と同様にして、縁カバー取付け用下地材３を重ねた各フランジ部２の表面側を覆うように、それぞれ対応する縁カバー取付け用下地材３に対して縁カバー８を係止手段９により係止する。
【００２７】
また、収納棚１のフランジ部２が隣接する部分においては、前述の左右のフランジ部２を覆う縁カバー８の２倍の左右巾となった単一の巾広の縁カバー８（８ａ）により、隣接する左右のフランジ部２の表面側を覆って、隣接する左右の縁カバー取付け用下地材３及び固着具５による固着部分を覆い隠す。この巾広の縁カバー８（８ａ）は隣接する左右の縁カバー取付け用下地材３に係止手段９により取付けられるもので、このため、巾広の縁カバー８（８ａ）には隣接する左右の縁カバー取付け用下地材３に設け係止部９ａに係止するための被係止部９ｂを設けてある。
【００２８】
このように収納棚１を左右方向に並設して取付けた場合は、各収納棚１をそれぞれ単独で上下、左右のフランジ部２部分を固着具５で壁パネル７に固着することができて、それぞれ単独で強固に取付けられるものであるにも係らず、隣接する収納棚１の左右のフランジ部２が単一の縁カバー８により覆われることで、両収納棚１が一体物であるような外観とすることができる。
【００２９】
図８乃至図１２には壁パネル７に収納棚１と鏡４とを左右に並設して取付ける例が示してある。本実施形態においても、前述と同様に壁パネル７に開口部１２を設け、該開口部１２に収納棚１を嵌め込む。次に、前述と同様にして上下のフランジ部２の表面側に縁カバー８を重ねて固着具５により壁パネル７に固着する。また、本実施形態のように収納棚１の両側に鏡４を並設する場合は、左右のフランジ部２を直接固着具５により壁パネル７に固着する。この場合、左右のフランジ部２に設けた固着具挿通孔１０に固着具５を挿通して固着するのであるが、固着具５の頭部５ａを凹部６内に収納し、表面側に突出しないようにする。
【００３０】
この状態で、下フレーム１５と、上フレーム１６とを壁パネル７の表面側に取付ける。
【００３１】
下フレーム１５は収納棚１の左右方向の巾寸法に、並設しようとする鏡４の左右巾（左右にそれぞれ鏡４を並設する場合は両鏡４の左右巾の合計）寸法を加えた長さにほぼ等しいもので、下横片２０の前端から上方に前立ち上がり縁片２１を突設し、更に、下横片２０の後端の長手方向の両側から固定用縦片２２を突設して構成してある。
【００３２】
そして、下フレーム１５の前立ち上がり縁片２１の長手方向の中央部分により上記収納棚１の下フランジ部２の表面側を覆う下の縁カバー８の表面の下部を図１０のようにして覆い、更に両側の固定用縦片２２を固着具５により壁パネル７に固着する。
【００３３】
一方、上フレーム１６は、上記下フレーム１５と同じ長さで、上横片２３の前端から下方に前垂下縁片２４を垂設し、更に、上横片２３の後端の長手方向の両側から固定用垂下片２５を垂下し、更に、この上フレーム１６に鏡押え用弾性片２６を設けて構成してある。固定用垂下片２５には上下方向に長い長孔２７が設けてある。
【００３４】
上フレーム１６は上記収納棚１の直ぐ上に上記長孔２７から固着具５を挿入して壁パネル７に対して上下に移動自在に取付ける。
【００３５】
その後、鏡４の下端部を前立ち上がり縁片２１の長手方向の左右の部分の裏側に嵌め込んで鏡４の前面下端縁部を覆って支持し、上フレーム１６を長孔２７に沿って上フレーム１６を下方に移動させて上フレーム１６の前垂下縁片２４の長手方向の左右の部分で両側の鏡４の前面下端縁部を覆って支持すると共に、収納棚１の上フランジ部２の表面側を覆う上の縁カバー８の表面の上部を図１２のようにして覆う。この場合、鏡４の収納棚１側の側端部は隣接する収納棚１の左右のフランジ部２の表面に重ねるものであり、鏡４の側端部を隣接する左右のフランジ部２に重ねた際、図１１に示すように該フランジ部２を固着するための固着具５の頭部５ａが凹部６内に収納してあるので、左右のフランジ部２に隙間なくぴったりと鏡４の裏面を重ねることができる。鏡４の表面は上下の縁カバー８と面一又はほぼ面一となっており、収納棚１の上下のフランジ部２の表面側を上下の縁カバー８により覆って固着具５による固着部分が外部に露出しないようにすると共に収納棚１の上下のフランジ部２の表面側の化粧仕上げをし、また、収納棚１の左右のフランジ部２の表面側を左右の鏡４の側端部により覆って固着具５による固着部分が外部に露出しないようにすると共に収納棚１の上下のフランジ部２の表面側の化粧仕上げをすることになり、収納棚１の前開口の外周部の収まりがよくなり、同時に、収納棚１の側端と並設する鏡４の側端との間に隙間が生じることがなく、鏡４が収納棚１に組み込まれた鏡４付きの収納棚１のような外観とすることができる。
【００３６】
なお、上記実施形態では、収納棚１の左右両側に鏡４を並設した例を示したが、収納棚１の左側のみ、又は右側のみに鏡４を並設するものであってもよい。この場合は、左右のフランジ部２のうち一方のフランジ部２の表面に前述のようにして、縁カバー取付け用下地材３を重ねて固着具５で固着してその表面側を縁カバー８で覆い、左右のフランジ部２のうち一方のフランジ部２の表面に前述のようにして隣接する鏡４の側端部を重ねて固着具５による固着部分を覆うようにする。
【００３７】
図１３乃至図１５には収納棚１の下のフランジ部２の表面に樋部材３０を配置して取付けた例である。樋部材３０には上方に開口する排水溝３１が形成してある。排水溝３１内には上面の長手方向の一端部側から他端部側に行くほど低くなる傾斜板３２が配設してあり、該傾斜板３２を排水溝３１内に配設するに当たって、左右を逆にして配設することで、排水溝３１内の底部を右下がりの傾斜又は左下がりの傾斜を選択できるようにしてある。樋部材３０の長手方向の両端部にはそれぞれ排水溝３１に連通する排水孔３３が設けてあり、上記のように排水溝３１内に傾斜板３２を右下がり又は左下がりとなるように配設した場合、一方の排水孔３３が傾斜板３２の両端部のうち背の高い方の端部で遮蔽され、他方の排水孔３３のみが実質的に排水溝３１の内外に連通するようになっている。これにより、排水溝３１における排水方向を左右変えても、いずれかの排水孔３３から排水できるようにしてある。上記樋部材３０の下面部には下フレーム１５が配設されるが、この場合、下フレーム１５の長手方向の中央部においては前立ち上がり縁片２１を切除しておくものとする。
【００３８】
この例においては、収納棚１内に入った水や収納棚１内に収納している石鹸やシャンプーの液が収納部１１の下面部上を樋部材３０側に流れて排水溝３１に流込み、排水溝３１の一端部の排水孔３３から排水される。
【００３９】
これにより、例えば、図１３のように、収納棚１を浴室の壁パネル７に取付ける場合で、更に、収納棚１の巾方向の一側部が浴槽３５と対向し他側部が洗い場３６に対向するように取付けた場合、上記一方の排水孔３３を洗い場３６の上方位置に位置させることで、収納棚１内に入った水や、石鹸液、シャンプー液が浴槽３５内に流れ込むことがなく、排水溝３１を一方の排水孔３３側に流して、排水孔３３から洗い場３６側に排水することができ、浴槽３５内の浴水を汚すことがない。
【００４０】
なお、上記例では、傾斜板３２を樋部材３０の排水溝３１内に内装した例を示したが、傾斜板３２の上に樋部材３０を載設するようにして樋部材３０を長手方向に傾斜させるようにしてもよい。
【図面の簡単な説明】
【００４１】
【図１】本発明の収納棚の取付け構造の一実施形態を示す分解斜視図である。
【図２】同上の取付け状態の斜視図である。
【図３】同上のＡ−Ａ線の断面図である。
【図４】同上のＢ−Ｂ線の断面図である。
【図５】本発明の収納棚の取付け構造の他の実施形態を示す分解斜視図である。
【図６】同上の取付け状態の斜視図である。
【図７】同上のＣ−Ｃ線の断面図である。
【図８】本発明の収納棚の取付け構造の更に他の実施形態を示す分解斜視図である。
【図９】同上の取付け状態の斜視図である。
【図１０】同上のＤーＤ線の断面図である。
【図１１】同上のＥーＥ線の断面図である。
【図１２】同上のＦーＦ線の断面図である。
【図１３】収納棚に樋部材を取付ける例の正面図である。
【図１４】同上の分解斜視図である。
【図１５】同上の斜視図である。
【符号の説明】
【００４２】
１  収納棚
２  フランジ部
３  縁カバー取付け用下地材
４  鏡
５  固着具
５ａ  頭部
６  凹部
７  壁パネル
８  縁カバー
９  係止手段
１０  固着具挿通孔
１２  開口部
【図１】
2010104441.tif 000003
【図２】
2010104441.tif 000004
【図３】
2010104441.tif 000005
【図４】
2010104441.tif 000006
【図５】
2010104441.tif 000007
【図６】
2010104441.tif 000008
【図７】
2010104441.tif 000009
【図８】
2010104441.tif 000010
【図９】
2010104441.tif 000011
【図１０】
2010104441.tif 000012
【図１１】
2010104441.tif 000013
【図１２】
2010104441.tif 000014
【図１３】
2010104441.tif 000015
【図１４】
2010104441.tif 000016
【図１５】
2010104441.tif 000017